(57)【特許請求の範囲】
【請求項１】
ハンドオーバ前にターゲットセルのタイムアドバンス（ＴＡ）をユーザ装置（ＵＥ）によって取得することと、
前記ターゲットセルによって送信されたアップリンクグラント（ＵＬグラント）を前記ＵＥによって取得することと、
前記ＵＬグラントに対応するリソース上の前記ＴＡを有する前記ターゲットセルにハンドオーバ完了メッセージを前記ＵＥによって送信することと、
を備え、
前記ハンドオーバ前にターゲットセルのＴＡを前記ＵＥによって取得することは、
前記ソースセルによって送信された媒体アクセス制御（ＭＡＣ）制御プロトコルデータ・ユニット（ＰＤＵ）から前記ターゲットセルのＴＡを前記ＵＥによって取得することを備え、
前記ターゲットセルによって送信されたＵＬグラントを前記ＵＥによって取得することは、
ソースセルがハイブリッド自動反復要求（ＨＡＲＱ）肯定応答（ＡＣＫ）メッセージにしたがってＵＬグラント伝送指示メッセージを前記ターゲットセルに送信するように、ハンドオーバコマンドを受信した後に前記ＨＡＲＱ  ＡＣＫメッセージを前記ソースセルに前記ＵＥによって送信し、前記ＵＬグラント伝送指示メッセージにしたがって前記ターゲットセルによって送信された前記ＵＬグラントを前記ＵＥによって受信することか、または、
前記ハンドオーバコマンドを前記ソースセルから受信した後に、スケジューリング要求（ＳＲ）を前記ターゲットセルに前記ＵＥによって送信し、前記ＳＲは、ハンドオーバプロセスのために構成されたスケジューリング要求（ＳＲ）リソースを使用するか、または、前記ハンドオーバが完了した後に前記ハンドオーバコマンド内に構成されたＳＲリソースを使用し、前記ＳＲにしたがって前記ターゲットセルによって送信された前記ＵＬグラントを前記ＵＥによって受信すること、
を備える、
ハンドオーバ方法。
【請求項２】
ハンドオーバ前にソースセルを介してターゲットセルのタイムアドバンス（ＴＡ）をユーザ装置（ＵＥ）にターゲットセルによって送信することと、
前記ターゲットセルのアップリンクグラント（ＵＬグラント）を前記ＵＥに前記ターゲットセルによって送信することと、
前記ＵＬグラントに対応するリソース上の前記ＴＡを有する前記ＵＥによって送信されたハンドオーバ完了メッセージを前記ターゲットセルによって受信することと、
を備え、
前記ハンドオーバ前にソースセルを介してＵＥにターゲットセルのＴＡを前記ターゲットセルによって送信することは、
前記ソースセルが前記ハンドオーバ要求ＡＣＫメッセージにしたがって媒体アクセス制御（ＭＡＣ）制御プロトコルデータ・ユニット（ＰＤＵ）を介して前記ターゲットセルの前記ＴＡを前記ＵＥに送信するように、前記ターゲットセルのＴＡを搬送する前記ハンドオーバ要求ＡＣＫメッセージを前記ソースセルに前記ターゲットセルによって送信することを備え、
前記ターゲットセルのＵＬグラントを前記ＵＥに前記ターゲットセルによって送信することは、
前記ソースセルが前記ＵＥからハイブリッド自動反復要求（ＨＡＲＱ）肯定応答（ＡＣＫ）メッセージを受信した後に前記ソースセルによって前記ターゲットセルに送信されたＵＬグラント伝送指示メッセージであって、前記ＵＥがハンドオーバコマンドを受信したことを示すために使用される前記ＵＬグラント伝送指示メッセージにしたがって前記ＵＬグラントを前記ＵＥに前記ターゲットセルによって送信することか、または、
前記ＵＥによって送信されたスケジューリング要求（ＳＲ）であって、ハンドオーバプロセスのために構成されたＳＲリソースを使用するか、または前記ハンドオーバが完了した後に前記ハンドオーバコマンド内に構成されたＳＲリソースを使用する前記ＳＲにしたがって前記ＵＬグラントを前記ＵＥに前記ターゲットセルによって送信すること、
を備える、
ハンドオーバ方法。
【請求項３】
前記ターゲットセルのＵＬグラントを前記ＵＥに前記ターゲットセルによって送信することは、
前記ソースセルによって前記ターゲットセルに送信されたハンドオーバ要求メッセージ内で搬送されるＵＥ関連アップリンクスケジューリング情報にしたがって前記ターゲットセルの前記ＵＬグラントを前記ＵＥに前記ターゲットセルによって送信することを更に備え、
前記ＵＬグラントが、前記ターゲットセルによって前記ＵＥに１回送信されるＵＬグラントであり、該ＵＬグラントに対応するリソースが、ハンドオーバ完了メッセージとユーザプレーンにおいて送信されるべきバッファデータとを同時に担うために使用されるか、または、前記ＵＬグラントが、前記ターゲットセルによって前記ＵＥに２回連続で送信されるＵＬグラントであり、第１のＵＬグラントに対応するリソースがハンドオーバ完了メッセージを担うために使用され、第２のＵＬグラントに対応するリソースが前記ユーザプレーンにおいて送信されるべき前記バッファデータを担うために使用される、
請求項２に記載のハンドオーバ方法。
【請求項４】
ターゲットセルのタイムアドバンス（ＴＡ）をソースセルによって取得することと、
ハンドオーバ前に前記ターゲットセルのＴＡをユーザ装置（ＵＥ）に前記ソースセルによって送信することと、
前記ＵＥのハンドオーバが完了したことを確認するために前記ターゲットセルによって送信されたハンドオーバ完了指示を前記ソースセルによって受信することと、
を備え、
前記ハンドオーバ前に前記ターゲットセルのＴＡをＵＥに前記ソースセルによって送信することは、
前記ターゲットセルのＴＡを搬送する媒体アクセス制御（ＭＡＣ）制御プロトコルデータ・ユニット（ＰＤＵ）を前記ＵＥに前記ソースセルによって送信することを備える、
ハンドオーバ方法。
【請求項５】
前記ターゲットセルのＴＡを前記ソースセルによって取得することは、
前記ターゲットセルによって送信されたハンドオーバ要求ＡＣＫメッセージから前記ターゲットセルのＴＡを前記ソースセルによって取得すること、または、
定期的にまたはイベントにトリガされて前記ターゲットセルによって送信された前記ターゲットセルのＴＡを前記ソースセルによって受信すること、または、
前記ターゲットセルによって送信されたパケットの復号にしたがって前記ターゲットセルのＴＡを前記ソースセルによって計算すること、
を備える、請求項４に記載のハンドオーバ方法。
【請求項６】
ＵＥ関連アップリンクスケジューリング情報を搬送するハンドオーバ要求を前記ターゲットセルに前記ソースセルによって送信することを更に備える、
請求項４又は５に記載のハンドオーバ方法。
【請求項７】
ハンドオーバ前にターゲットセルのタイムアドバンス（ＴＡ）を取得するよう構成されたＴＡ取得ユニットと、
前記ターゲットセルによって送信されたアップリンクグラント（ＵＬグラント）を取得するよう構成されたＵＬグラント取得ユニットと、
前記ＵＬグラントに対応するリソース上の前記ＴＡを有する前記ターゲットセルにハンドオーバ完了メッセージを送信するよう構成された送信ユニットと、
を備え、
前記ＴＡ取得ユニットは、
前記ソースセルによって送信された媒体アクセス制御（ＭＡＣ）制御プロトコルデータ・ユニット（ＰＤＵ）から前記ターゲットセルのＴＡを取得するよう構成された第２のＴＡ取得モジュールを備え、
前記ＵＬグラント取得ユニットは、
ソースセルがハイブリッド自動反復要求（ＨＡＲＱ）肯定応答（ＡＣＫ）メッセージにしたがってＵＬグラント伝送指示メッセージを前記ターゲットセルに送信し、前記ＵＬグラント伝送指示メッセージにしたがって前記ターゲットセルによって送信された前記ＵＬグラントを受信するように、ハンドオーバコマンドを受信した後に前記ＨＡＲＱ  ＡＣＫメッセージを前記ソースセルに送信するよう構成された第１のＵＬグラント取得モジュール、または、
前記ハンドオーバコマンドを前記ソースセルから受信した後に、スケジューリング要求（ＳＲ）を前記ターゲットセルに送信し、該ＳＲはハンドオーバプロセスのために構成されたＳＲリソースを使用し、前記ＳＲにしたがって前記ターゲットセルによって送信された前記ＵＬグラントを受信するよう構成された第２のＵＬグラント取得モジュール、または、
前記ソースセルから前記ハンドオーバコマンドを受信した後にＳＲを前記ターゲットセルに送信し、該ＳＲは前記ハンドオーバが完了した後に前記ハンドオーバコマンド内に構成されたＳＲリソースを使用し、前記ＳＲにしたがって前記ターゲットセルによって送信された前記ＵＬグラントを受信するよう構成された第３のＵＬグラント取得モジュール、
を備える、
ユーザ装置（ＵＥ）。
【請求項８】
ハンドオーバ前にソースセルを介してターゲットセルのタイムアドバンス（ＴＡ）をユーザ装置（ＵＥ）に送信するよう構成されたＴＡ送信ユニットと、
前記ターゲットセルのアップリンクグラント（ＵＬグラント）を前記ＵＥに送信するよう構成されたＵＬグラント送信ユニットと、
前記ＵＬグラントに対応するリソース上の前記ＴＡを有する前記ＵＥによって送信されたハンドオーバ完了メッセージを受信するよう構成された受信ユニットと、
を備え、
前記ＴＡ送信ユニットは、前記ソースセルがハンドオーバ要求ＡＣＫメッセージにしたがって媒体アクセス制御（ＭＡＣ）制御プロトコルデータ・ユニット（ＰＤＵ）を介して前記ターゲットセルの前記ＴＡを前記ＵＥに送信するように、前記ターゲットセルのＴＡを搬送する前記ハンドオーバ要求ＡＣＫメッセージを前記ソースセルに前記ターゲットセルによって送信するよう使用され、
前記ＵＬグラント送信ユニットは、
前記ソースセルが前記ＵＥからハイブリッド自動反復要求（ＨＡＲＱ）肯定応答（ＡＣＫ）メッセージを受信した後に前記ソースセルによって前記ターゲットセルに送信されたＵＬグラント伝送指示メッセージであって、前記ＵＥがハンドオーバコマンドを受信したことを示すために使用されるＵＬグラント伝送指示メッセージにしたがって、前記ＵＬグラントを前記ＵＥに送信するよう構成された第１のＵＬグラント送信モジュール、または、
前記ＵＥによって送信されたスケジューリング要求（ＳＲ）であって、ハンドオーバプロセスのために構成されたＳＲリソースを使用するか、または前記ハンドオーバが完了した後に前記ハンドオーバコマンド内に構成されたＳＲリソースを使用する前記ＳＲにしたがって、前記ＵＬグラントを前記ＵＥに送信するよう構成された第２のＵＬグラント送信モジュール、
を備える、
ネットワーク側デバイス。
【請求項９】
ターゲットセルのタイムアドバンス（ＴＡ）を取得するよう構成されたＴＡ決定ユニットと、
ハンドオーバ前に前記ターゲットセルのＴＡをユーザ装置（ＵＥ）に送信するよう構成されたＴＡ転送ユニットと、
前記ＵＥの前記ハンドオーバが完了したことを確認するために前記ターゲットセルによって送信されたハンドオーバ完了指示を受信するよう構成されたハンドオーバ確認ユニットと、
を備え、
前記ＴＡ転送ユニットは、前記ターゲットセルのＴＡを搬送する媒体アクセス制御（ＭＡＣ）制御プロトコルデータ・ユニット（ＰＤＵ）を前記ＵＥに送信するよう構成された第２のＴＡ転送ユニットを備える、
ネットワーク側デバイス。
【請求項１０】
前記ＴＡ決定ユニットは、
前記ターゲットセルによって送信されたハンドオーバ要求ＡＣＫメッセージから前記ターゲットセルのＴＡを取得するよう構成された第１のＴＡ決定モジュール、または、
定期的にまたはイベントにトリガされて前記ターゲットセルによって送信された前記ターゲットセルのＴＡを受信するよう構成された第２のＴＡ決定モジュール、または、
前記ターゲットセルによって送信されたパケットの復号にしたがって前記ターゲットセルのＴＡを計算するように構成された第３のＴＡ決定モジュール、
を備える、請求項９に記載のネットワーク側デバイス。
【請求項１１】
コンピュータに、請求項１〜６のいずれか１項に記載のハンドオーバ方法の手順を実行させるためのコンピュータプログラムを記録したコンピュータ可読媒体。
【発明の詳細な説明】
【技術分野】
【０００１】
本発明は、無線通信技術の分野に関し、特に、ハンドオーバ方法、ユーザ装置（ＵＥ）、およびネットワーク側デバイスに関する。
【背景技術】
【０００２】
既存のＬＴＥ（Ｌｏｎｇ  Ｔｅｒｍ  Ｅｖｏｌｕｔｉｏｎ）システムにおいては、ＵＥがセル間でハンドオーバされるとき、ターゲットセルとのアップリンク同期を獲得するためにランダムアクセス手順が使用される。
【０００３】
図１において、ソースセルが、ＵＥから無線リソース制御（ＲＲＣ）測定報告（Ｍｅａｓｕｒｅｍｅｎｔ  Ｒｅｐｏｒｔ）を受信すると、ターゲットセルにハンドオーバ要求メッセージが送信されて、ターゲットセルから返送されたハンドオーバ要求ＡＣＫ（ハンドオーバ要求確認）メッセージを受信した後に、ＵＥにハンドオーバコマンドが送信される。ハンドオーバコマンドにしたがってＵＥはソースセルから切り離され始めて、ターゲットセルに同期される。このとき、ＵＥは、ランダムアクセス手順を介してターゲットセルとのアップリンク同期化を完了して、ターゲットセルのアップリンクグラント（ＵＬグラント）を取得し、更に、ＵＥは、取得したＵＬグラントに対応するスケジューリングリソース上のハンドオーバ完了メッセージを送信する。ターゲットセルは、ハンドオーバ完了メッセージのデータブロックを正しく受信した後に、対応するハイブリッド自動反復要求（ＨＡＲＱ）ＡＣＫを実行し、その間に、ターゲットセルは、ハンドオーバが完了したことを確認するために、ソースセルにハンドオーバ完了指示を送信するが、ここで、ハンドオーバ完了指示は、ＵＥコンテキスト・リリース・メッセージであってもよい。
【０００４】
本発明の実現にあたり本発明者は研究を行って、ハンドオーバの間にアップリンク同期化のランダムアクセス手順を実行することによって遅延がより長くなることを見出している。
【発明の概要】
【発明が解決しようとする課題】
【０００５】
本発明の実施形態は、制御プレーンのハンドオーバ遅延とユーザプレーン・データの割込み遅延とを短縮し得るハンドオーバ方法、ＵＥ、およびネットワーク側デバイスを提供する。
【課題を解決するための手段】
【０００６】
本発明の一実施形態は、
ハンドオーバ前にターゲットセルのタイムアドバンス（ＴＡ）をＵＥによって取得することと、
ターゲットセルによって送信されたＵＬグラントを取得することと、
ＵＬグラントに対応するリソース上のＴＡを有するターゲットセルにハンドオーバ完了メッセージを送信することと、
を含むハンドオーバ方法を提供する。
【０００７】
ハンドオーバ前にソースセルを介してＵＥにターゲットセルのＴＡをターゲットセルによって送信することと、
ターゲットセルのＵＬグラントをＵＥに送信することと、
ＵＬグラントに対応するリソース上のＴＡを有するＵＥによって送信されたハンドオーバ完了メッセージを受信することと、
を含む、別のハンドオーバ方法が提供される。
【０００８】
ターゲットセルのＴＡをソースセルによって取得することと、
ハンドオーバ前にターゲットセルのＴＡをＵＥに送信することと、
ＵＥのハンドオーバが完了したことを確認するためにターゲットセルによって送信されたハンドオーバ完了指示を受信することと、
を含む、別のハンドオーバ方法が提供される。
【０００９】
上記の方法の実施形態に対応して本発明の一実施形態は、
ハンドオーバ前にターゲットセルのＴＡを取得するように構成されたＴＡ取得ユニットと、
ターゲットセルによって送信されたＵＬグラントを取得するように構成されたＵＬグラント取得ユニットと、
ＵＬグラントに対応するリソース上のＴＡを有するターゲットセルにハンドオーバ完了メッセージを送信するように構成された送信ユニットと、
を含むＵＥを提供する。
【００１０】
ハンドオーバ前にソースセルを介してＵＥにターゲットセルのＴＡを送信するように構成されたＴＡ送信ユニットと、
ＵＥにターゲットセルのＵＬグラントを送信するように構成されたＵＬグラント送信ユニットと、
ＵＬグラントに対応するリソース上のＴＡを有するＵＥによって送信されたハンドオーバ完了メッセージを受信するように構成された受信ユニットと、
を含むネットワーク側デバイスが提供される。
【００１１】
ターゲットセルのＴＡを取得するように構成されたＴＡ決定ユニットと、
ハンドオーバ前にターゲットセルのＴＡをＵＥに送信するように構成されたＴＡ転送ユニットと、
ＵＥのハンドオーバが完了したことを確認するためにターゲットセルによって送信されたハンドオーバ完了指示を受信するように構成されたハンドオーバ確認ユニットと、
を含む別のネットワーク側デバイスが提供される。
【００１２】
ＵＥが、ハンドオーバ前にターゲットセルのＴＡを取得し、これによってハンドオーバ後の同期化精度を向上し、また、ＵＥが、ターゲットセルによって送信されたＵＬグラントを取得して、ＵＬグラントに対応するリソース上のＴＡを有するターゲットセルにハンドオーバ完了メッセージを送信するので、ＵＥがアップリンク信号伝達およびデータを時間内に送信するようにスケジュールすることができ、これによって制御プレーンのハンドオーバ遅延とユーザプレーン・データの割込み遅延とを短縮できることが、本発明の前述の実施形態において提供された技術的ソリューションから理解されることができる。
【図面の簡単な説明】
【００１３】
本発明の実施形態または従来技術における技術的ソリューションをより明確に説明するために、実施形態または従来技術の説明のために必要とされる添付図面が下記に簡単に紹介される。明らかに、下記の説明で説明される添付図面は本発明の実施形態の一部に過ぎず、当業者は創造的努力をせずとも、これらの添付図面にしたがって他の図面をなお取得することもできる。
【図１】従来技術によるランダムアクセス手順を使用するハンドオーバの流れ図である。
【図２】発明の一実施形態によるハンドオーバ方法の概略図である。
【図３】本発明の一実施形態によるターゲットセルのＴＡを取得するための方法の流れ図である。
【図４】本発明の一実施形態によるターゲットセルのＴＡを取得するための別の方法の流れ図である。
【図５】本発明の一実施形態によるＵＬグラントを取得するための方法の流れ図である。
【図６】本発明の一実施形態によるＵＬグラントを取得するための別の方法の流れ図である。
【図７】本発明の一実施形態によるユーザプレーン・データを送信するための方法の流れ図である。
【図８】本発明の一実施形態によるユーザプレーン・データを送信するための別の方法の流れ図である。
【図９】本発明の一実施形態による別のハンドオーバ方法の概略図である。
【図１０】本発明の一実施形態による別のハンドオーバ方法の概略図である。
【図１１】本発明の一実施形態によるＵＥの機能構造の概略図である。
【図１２】本発明の一実施形態によるネットワーク側デバイスの機能構造の概略図である。
【図１３】本発明の一実施形態による別のネットワーク側デバイスの機能構造の概略図である。
【発明を実施するための形態】
【００１４】
本発明の実施形態における技術的ソリューションは、本発明の実施形態における添付図面を参照しながら下記に明確に十分に説明される。
【００１５】
＜第１実施形態＞
図２を参照すると、本発明の一実施形態は、ランダムアクセス手順が実行されないシナリオにおけるハンドオーバ方法を提供している。本方法は下記を含む。
【００１６】
ステップ２１：ＵＥはハンドオーバ前にターゲットセルのＴＡを取得する。
【００１７】
協調的なマルチポイント・シナリオおよびキャリア集約シナリオでは、ＵＥのアップリンク信号が検出され、測定され、受信もされる。したがって、多数の協調的アクセスポイントまたはコンポーネントキャリアのすべては、ハンドオーバのターゲットセルのＴＡ（タイムアドバンス）を取得するために、物理的アップリンク制御チャネル（ＰＵＣＣＨ）、物理的アップリンク共用チャネル（ＰＵＳＣＨ）、探測基準信号（ＳＲＳ）などを含むＵＥのアップリンク信号を測定し得る。１セットに含まれない他の近隣セルを測定するために、ＵＥのアップリンク信号が検出され測定される場合には、対応するソースセルのＴＡを取得するためにも同じ方法が使用されることもあり得る。
【００１８】
ターゲットセルのＴＡを取得する方法に関して、本発明のこの実施形態は、下記の５つの方法を提供する。
【００１９】
方法１：図３を参照すると、ハンドオーバ前に、ターゲットセルがハンドオーバ要求ＡＣＫ（ハンドオーバ要求確認）メッセージをソースセルに送信するとき、ターゲットセルがターゲットセルのＴＡをソースセルに送信し、ソースセルがターゲットセルのＴＡ値を搬送するハンドオーバコマンドをＵＥに送信し、ＵＥがハンドオーバコマンドからターゲットセルのＴＡを取得する。ＵＥに関して、ＴＡがハンドオーバコマンドで受信された場合には、ＴＡが更新され、そうでない場合には、ＴＡは更新されず、ハンドオーバ前のソースセルのＴＡ値が使用され続ける。ハンドオーバコマンドはＲＲＣ接続再構成メッセージに含まれることもある。
【００２０】
方法２：図４を参照すると、ハンドオーバ前に、ターゲットセルがハンドオーバ要求ＡＣＫ（ハンドオーバ要求確認）メッセージをソースセルに送信するとき、ターゲットセルがターゲットセルのＴＡ情報をソースセルに送信し、ソースセルが媒体アクセス制御（ＭＡＣ）制御プロトコルデータ・ユニット（ＰＤＵ）を介してＴＡをＵＥに送信し、同時にまたはある時間間隔後に、ハンドオーバコマンドをＵＥに送信し、ＵＥがＰＤＵからターゲットセルのＴＡを取得する。ＭＡＣ制御ＰＤＵは更に、ＴＡがターゲットセル内で使用されていることを示すために使用されるターゲットセル識別情報を含むこともある。ＵＥに関して、ＵＥがハンドオーバ前にＰＤＵを受信しない場合には、ＵＥはハンドオーバ前のソースセルのＴＡ値を使用し続ける。
【００２１】
方法３：ターゲットセルが協調的スケジューリングセルまたはキャリア集約セット内のセルである場合には、ターゲットセルがターゲットセルのＴＡ情報を定期的にまたはイベントにトリガされてソースセルに送信し、ハンドオーバ前に、ソースセルがターゲットセルのＴＡ値を搬送するハンドオーバコマンド・メッセージをＵＥに送信するか、あるいは、ハンドオーバコマンドを送信する前に、ソースセルがターゲットセルのＴＡ値をＵＥに送信し、ここで、ターゲットセルのＴＡ値は、ＭＡＣ制御ＰＤＵを介して搬送される。
【００２２】
方法４：ターゲットセルが協調的スケジューリングセルまたはキャリア集約セット内のセルである場合には、物理層協調（ｐｈｙｓｉｃａｌ  ｌａｙｅｒ  ｃｏｏｒｄｉｎａｔｉｏｎ）によって受信したパケットをソースセルに連続的または不連続的に送信し、ソースセルはこのパケットを復号することによってターゲットセルのＴＡを計算し得る。ハンドオーバ前に、ソースセルが復号を介して取得したターゲットセルのＴＡ値を搬送するハンドオーバコマンド・メッセージをＵＥに送信するか、あるいは、ハンドオーバコマンドを送信する前に、ソースセルがターゲットセルのＴＡ値をＵＥに送信し、ここで、ターゲットセルのＴＡ値は、ＭＡＣ制御ＰＤＵを介して搬送される。
【００２３】
方法５：ＵＥは新しいＴＡ値を取得しないこともあり、ハンドオーバ前のソースセルのＴＡ値を使用し続ける。
【００２４】
前述の方法に基づいて、ＵＥはハンドオーバ前にターゲットセルのＴＡを取得し、これによって、ハンドオーバ後の同期化精度を向上させ、ハンドオーバ後の同期化の損失の確率を縮小するので、同期化の損失によるランダムアクセス手順を実行する確率が縮小され、したがって、ランダムアクセス手順のためのリソースが節約される。
【００２５】
ステップ２２：ＵＥはターゲットセルによって送信されたＵＬグラントを取得する。
【００２６】
ＵＬグラントは、ターゲットセルの物理的ダウンリンク制御チャネル（ＰＤＣＣＨ）を介してＵＥに送信され得る。ＵＥに関して、ＲＲＣ接続再構成メッセージに含まれ得るハンドオーバコマンドを受信すると、ＵＥは、内部ＲＲＣ接続再構成を完了した後に、ターゲットセルのＰＤＣＣＨを監視し始める。
【００２７】
ターゲットセルによって送信されたＵＬグラントを取得する方法に関して、本発明のこの実施形態はまた下記の３つの方法を与える。
【００２８】
方法１：図５を参照すると、ソースセルに関して、ハンドオーバ成功メッセージを含む、ＵＥによって送信されたＨＡＲＱ  ＡＣＫメッセージが受信された後に、ＵＬグラント伝送指示メッセージがターゲットセルに送信される。このメッセージは「ＵＥがハンドオーバコマンドを受信した」ことを示しており、ここで、ハンドオーバコマンドはＲＲＣ接続再構成メッセージに含まれ送信され得る。
【００２９】
ターゲットセルに関して、ＵＬグラント伝送指示メッセージをソースセルから受信すると、アップリンク伝送リソースがＰＤＣＣＨを介してＵＥに送信される。ＵＥの内部処理時間を考慮すると、ターゲットセルが、ソースセルからＵＬグラント伝送指示メッセージを受信した後に、ＵＬグラントをＵＥに送信し得る。
【００３０】
ハンドオーバコマンド（ＲＲＣ接続再構成メッセージに含まれた）を受信した後に、ＵＥがタイマーを起動し得る。タイマーが満了したときにターゲットセルによって割り当てられたアップリンク伝送リソースがまだ受信されていない場合には、ＲＲＣ接続を再確立するためにターゲットセルに対してランダムアクセス手順が起動され、これによって、ハンドオーバプロセスの完了を保証する。
【００３１】
方法２：図６を参照すると、ＵＥに関して、ハンドオーバコマンド（ＲＲＣ接続再構成メッセージに含まれた）を受信すると、ＵＬグラントを送信することをターゲットセルに要求するために、ＰＵＣＣＨを介してスケジューリング要求（ＳＲ）がターゲットセルに送信される。
【００３２】
ＵＥのＳＲを受信した後に、ターゲットセルが、ＵＬグラントをＵＥに送信する。
【００３３】
この実施形態では、ハンドオーバのために使用されるＳＲリソースのセットがＵＥのために構成されるが、ここで、ＳＲは、ＳＲリソースの位置インデックス、ＳＲ周期、ＳＲオフセットおよびＳＲの有効継続時間を含む、特にハンドオーバ手順のために構成されたＳＲリソースを使用する。ハンドオーバのために使用されるＳＲリソースは、短い周期および短い継続時間という特徴を有するので、ハンドオーバコマンドを受信し、ＵＥの内部構成を完了させ、ターゲットセルを監視した後に、ＵＥは、アップリンクＳＲを送信するために、ハンドオーバのために使用されるＳＲリソースを迅速に呼び出すことができる。ハンドオーバ完了メッセージを首尾よく送信した後に、ＵＥは既存のＳＲリソースをなお使用する。
【００３４】
具体的には下記の３つの２次的情報要素が、ＲＲＣ接続再構成メッセージのＳＲ構成情報要素に加えられる。
ａ．ハンドオーバのために使用されるＳＲリソースの位置インデックス（ｓｒ−ＰＵＣＣＨ−ＲｅｓｏｕｒｃｅＩｎｄｅｘｆｏｒＨＯ）。
ｂ．ハンドオーバのために使用されるＳＲの周期およびオフセットインデックス（ｓｒ−ＣｏｎｆｉｇＩｎｄｅｘｆｏｒＨＯ）。ここで、周期の値は１ｍｓ、２ｍｓ、３ｍｓ、４ｍｓおよび５ｍｓであり、デフォルト周期は１ｍｓであり、オフセットに関しては、ＵＥがターゲットセルにハンドオーバされてＳＲを送信する用意ができる最も早い時間が考えられる。
ｃ．ハンドオーバのために使用されるＳＲリソースの有効持続時間（ｄｓｒ−ＴｒａｎｓＭａｘｆｏｒＨＯ）。
【００３５】
具体的な情報要素構造は下記の通りである。
【数１】
0005373968.tif 000002
【００３６】
ＵＥがハンドオーバコマンド（ＲＲＣ接続再構成メッセージに含まれた）を受信したとき、またはハンドオーバのために使用されるＳＲがＰＵＣＣＨ上で送信された後に、タイマーが起動され得る。タイマーが満了したときに、ターゲットセルのアップリンクリソース割当てがまだ受信されていない場合には、ＲＲＣ接続を再確立するためにターゲットセルに対してランダムアクセス手順が起動され、これによって、ハンドオーバプロセスの完了を保証する。
【００３７】
方法３：明確には、ＵＥは、ハンドオーバが完了した後に、ハンドオーバコマンド内に構成されたＳＲリソースを使用することもあり、また、このリソース上でＳＲをＵＥに送信することもあり得る。ＳＲを受信した後に、ターゲットセルが、ＰＤＣＣＨを介してＵＬグラントをＵＥに送信する。
【００３８】
前述の方法に基づいて、ＵＥは、制御プレーンのハンドオーバ完了メッセージを担うためにアップリンクリソーススケジューリングを迅速に取得でき、これによって、制御プレーンのハンドオーバ遅延を短縮することができる。
【００３９】
ステップ２３：ＵＥは、ＵＬグラントに対応するリソース上のＴＡを有するターゲットセルにハンドオーバ完了メッセージを送信する。
【００４０】
ユーザプレーン・データのＵＬグラントを迅速に取得するために、またユーザプレーン・データの送信を迅速に開始するために、また更にハンドオーバ時にユーザプレーン・データを送信する際の割込み時間を短縮するために、本発明のこの実施形態は下記の３つの方法を提供する。
【００４１】
方法１：図７を参照すると、ハンドオーバ前に、ソースセルは、ターゲットセルがＵＥ上で実行される必要のあるアップリンクスケジューリングに関する関連情報を事前に知っているように、ハンドオーバ要求メッセージを介してＵＥ関連アップリンクスケジューリング情報を搬送し、例えば、ＵＥによって最近報告された各論理チャネルグループのバッファ状態報告（ＢＳＲ）を搬送する。ハンドオーバ時に、ＵＥがハンドオーバコマンドにおける再構成を完了してターゲットセルにハンドオーバされた後に、ターゲットセルが第１のＵＬグラントを送信するとき、ハンドオーバ完了メッセージのサイズが考慮されるばかりでなく、送信されるべき他のアップリンク・バッファデータのサイズも考慮され、十分なグラントが割り当てられるが、この場合、割り当てられたＵＬグラントはハンドオーバ完了メッセージとユーザプレーンにおいて送信されるべきバッファデータとを同時に担うために使用され得るので、ＵＥはハンドオーバ完了メッセージと共にユーザプレーンにおいて送信されるべきバッファデータを送信する。
【００４２】
方法２：図８を参照すると、ハンドオーバ前に、ソースセルは、ターゲットセルがＵＥ上で実行される必要のあるアップリンクスケジューリングに関する関連情報を事前に知っているように、ハンドオーバ要求メッセージを介してＵＥ関連アップリンクスケジューリング情報を搬送し、例えば、ＵＥによって最近報告された各論理チャネルグループのバッファ状態報告（ＢＳＲ）を搬送する。ハンドオーバ時に、ＵＥがハンドオーバコマンドにおける再構成を完了してターゲットセルにハンドオーバされたときに、ターゲットセルは２回連続してＵＬグラントを送信し、ここで、第１のＵＬグラント（ＵＬグラント１）はハンドオーバ完了メッセージを担うために使用され、第２のＵＬグラント（ＵＬグラント２）はユーザプレーンにおいて送信されるべきバッファデータを担うために使用される。ターゲットセルがＵＬグラント１を送信した後、ｅＮＢは信号伝達対話の完了を待つ必要はなく、またＵＥがアップリンクスケジューリングに関する関連情報を報告するのを待つ必要もなく、ｅＮＢが、ソースセルによって報告されたアップリンクスケジューリング情報にしたがってＵＬグラント２をＵＥに送信してもよく、ＵＥが、ＵＬグラント２上でユーザプレーンにおいて送信されるべきバッファデータを送信してユーザプレーンにおけるアップリンク伝送を開始する。
【００４３】
ユーザプレーン・データを送信するための前述の２つの方法に基づいて、ユーザプレーン・データの送信がアップリンクおよびダウンリンクＲＣＣ信号伝達対話の完了を待たずに復旧され得るので、ユーザプレーン・データ伝送における割込み時間は更に短縮される。
【００４４】
方法３：ハンドオーバを完了した後に、ＵＥがアップリンクスケジューリングに関する関連情報を報告し、ターゲットセルがアップリンクスケジューリング情報を受信した後にだけ関連グラントをＵＥに送信し、そして、ＵＥがこのグラントにおいてユーザプレーン・データを送信する。
【００４５】
本発明のこの実施形態において提供されたハンドオーバ方法によれば、ＵＥがハンドオーバ前にターゲットセルのＴＡを取得し、これによってハンドオーバ後の同期化精度を向上させ、そして、ＵＥが、ターゲットセルによって送信されたＵＬグラントを取得し、ＵＬグラントに対応するリソース上のＴＡを有するターゲットセルにハンドオーバ完了メッセージを送信するので、ＵＥが時間内にアップリンク信号伝達およびデータを送信するようにスケジュールされることができ、これによって、制御プレーンのハンドオーバ遅延およびユーザプレーン・データの割込み遅延が短縮される。
【００４６】
＜第２実施形態＞
前述のハンドオーバ方法の実施形態に対応して、本発明のこの実施形態は別のハンドオーバ方法を提供する。図９を参照すると、本方法は下記を含む。
【００４７】
ステップ９１：ハンドオーバ前に、ターゲットセルが、ソースセルを介してＵＥにターゲットセルのＴＡを送信する。
【００４８】
ステップ９２：ターゲットセルが、ターゲットセルのＵＬグラントをＵＥに送信する。
【００４９】
ステップ９３：ターゲットセルが、ＵＬグラントに対応するリソース上のＴＡを有するＵＥによって送信されたハンドオーバ完了メッセージを受信する。
【００５０】
前述の方法の実施形態において説明されたように、下記の方法は、ハンドオーバ前にソースセルを介してＵＥにターゲットセルのＴＡを送信するために、ターゲットセルが使用され得る。
【００５１】
ソースセルがハンドオーバ要求ＡＣＫメッセージにしたがってターゲットセルのＴＡを搬送するハンドオーバコマンドをＵＥに送信するように、または、ソースセルがハンドオーバ要求ＡＣＫメッセージにしたがってＭＡＣ制御ＰＤＵを介してＵＥにターゲットセルのＴＡを送信するように、ターゲットセルが、ターゲットセルのＴＡを搬送するハンドオーバ要求ＡＣＫメッセージをソースセルに送信する。
【００５２】
ターゲットセルは、下記の方法を使用することによって、ターゲットセルのＵＬグラントをＵＥに送信し得る。
【００５３】
方法１：ターゲットセルがＵＬグラント伝送指示メッセージにしたがってＵＬグラントをＵＥに送信し、ここで、ＵＬグラント伝送指示メッセージは、ソースセルがＵＥからＨＡＲＱ  ＡＣＫメッセージを受信した後にソースセルによってターゲットセルに送信され、「ＵＥがハンドオーバコマンドを受信した」ことを示すために使用される。あるいは、
【００５４】
方法２：ターゲットセルがＵＥによって送信されたＳＲにしたがってＵＬグラントをＵＥに送信し、ＳＲは特にハンドオーバプロセスのために構成されたＳＲリソースを使用するか、または、ＳＲはハンドオーバが完了した後にハンドオーバコマンド内に構成されたＳＲリソースを使用する。
【００５５】
更に、ターゲットセルがターゲットセルのＵＬグラントをＵＥに送信するためのこれらの方法において、下記の好適な方法も使用され得る。
【００５６】
ターゲットセルが、ＵＥ関連アップリンクスケジューリング情報にしたがってターゲットセルのＵＬグラントをＵＥに送信する。ここで、
このＵＥ関連アップリンクスケジューリング情報は、ソースセルによってターゲットセルに送信されたハンドオーバ要求メッセージ内で搬送される。
このＵＬグラントは、ターゲットセルによってＵＥに１回送信されたＵＬグラントであって、このＵＬグラントに対応するリソースは、ハンドオーバ完了メッセージとユーザプレーンにおいて送信されるべきバッファデータとを同時に担うために使用されるか、あるいは、このＵＬグラントは、ターゲットセルによって２回連続してＵＥに送信されたＵＬグラントであって、ここで、第１のＵＬグラントに対応するリソースは、ハンドオーバ完了メッセージを担うために使用され、第２のＵＬグラントに対応するリソースは、ユーザプレーンにおいて送信されるべきバッファデータを担うために使用される。
【００５７】
本発明のこの実施形態において提供されるハンドオーバ方法によれば、ターゲットセルが、ハンドオーバ前にソースセルを介してターゲットセルのＴＡをＵＥに送信し、これによって、ハンドオーバ後のＵＥの同期化精度を向上させ、ターゲットセルが、ターゲットセルのＵＬグラントをＵＥに送信し、このＵＬグラントに対応するリソース上のＴＡを有するＵＥによって送信されたハンドオーバ完了メッセージを受信するので、ＵＥがアップリンク信号伝達およびデータを時間内に送信するようにスケジュールされることができ、これによって、制御プレーンのハンドオーバ遅延およびユーザプレーン・データの割込み遅延が短縮される。
【００５８】
＜第３実施形態＞
前述のハンドオーバ方法の実施形態に対応して、本発明のこの実施形態は別のハンドオーバ方法を提供する。図１０を参照すると、本方法は下記を含む。
【００５９】
ステップ１１：ソースセルが、ターゲットセルのＴＡを取得する。
【００６０】
ステップ１２：ハンドオーバ前に、ソースセルが、ターゲットセルのＴＡをＵＥに送信する。
【００６１】
ステップ１３：ソースセルは、ターゲットセルによって送信されたハンドオーバ完了指示を受信し、ＵＥのハンドオーバが完了したことを確認する。
【００６２】
前述の方法の実施形態において説明されたように、下記の方法は、ソースセルがターゲットセルのＴＡを取得するために、使用され得る。
【００６３】
方法１：ソースセルが、ターゲットセルによって送信されたハンドオーバ要求ＡＣＫメッセージからターゲットセルのＴＡを取得する。
【００６４】
方法２：ソースセルが、定期的にまたはイベントにトリガされてターゲットセルによって送信されたターゲットセルのＴＡを受信する。
【００６５】
方法３：ソースセルが、ターゲットセルによって送信されたパケットの復号にしたがってターゲットセルのＴＡを計算する。
【００６６】
ハンドオーバ前に、ソースセルが、下記の方法を使用することによって、ＵＥにターゲットセルのＴＡを送信することもあり得る。
【００６７】
方法１：ソースセルが、ターゲットセルのＴＡを搬送するハンドオーバコマンドをＵＥに送信する。あるいは、
【００６８】
方法２：ソースセルが、ターゲットセルのＴＡを搬送するＭＡＣ制御ＰＤＵをＵＥに送信する。あるいは、
【００６９】
方法３：ＵＥがターゲットセルのＴＡとしてソースセルのＴＡを使用するように、ソースセルが、ソースセルのＴＡをＵＥに送信する。
【００７０】
ソースセルに関して、この実施形態において提供されるハンドオーバ方法は、更に下記を含む。ハンドオーバ前に、ソースセルが、ターゲットセルがＵＥ上で実行される必要のあるアップリンクスケジューリングに関する関連情報を事前に知っているように、ＵＥ関連アップリンクスケジューリング情報を搬送するハンドオーバ要求、例えば、ＵＥによって最近報告された各論理チャネルグループのＢＳＲを搬送するハンドオーバ要求を、ターゲットセルに送信する。ハンドオーバ時に、ＵＥが、ハンドオーバコマンドにおける再構成を完了して、ターゲットセルにハンドオーバされた後に、ターゲットセルが、ＵＥ関連アップリンクスケジューリング情報にしたがってターゲットセルのＵＬグラントをＵＥに送信し、ここで、このＵＬグラントは、ターゲットセルによってＵＥに１回送信されたＵＬグラントである可能性があり、このＵＬグラントに対応するリソースは、ハンドオーバ完了メッセージとユーザプレーンにおいて送信されるべきバッファデータとを同時に担うために使用され、あるいは、このＵＬグラントは、ターゲットセルによってＵＥに連続して２回送信されたＵＬグラントである可能性があり、ここで、第１のＵＬグラントに対応するリソースはハンドオーバ完了メッセージを担うために使用され、第２のＵＬグラントに対応するリソースはユーザプレーンにおいて送信されるべきバッファデータを担うために使用される。
【００７１】
本発明のこの実施形態において提供されるハンドオーバ方法によれば、ソースセルが、ターゲットセルのＴＡを取得して、ハンドオーバ前に、ターゲットセルのＴＡをＵＥに送信し、これによって、ハンドオーバ後のＵＥの同期化精度を向上させ、そして、ソースセルが、ＵＥ関連アップリンクスケジューリング情報を搬送するハンドオーバ要求をターゲットセルに送信するので、ＵＥが、ＵＬグラントに対応するリソース上のＴＡを有するハンドオーバ完了メッセージを送信することができ、時間内にアップリンク信号伝達およびデータを送信するようにスケジュールされることができ、これによって、制御プレーンのハンドオーバ遅延およびユーザプレーン・データの割込み遅延が短縮される。
【００７２】
＜第４実施形態＞
ＵＥの前述の方法の実施形態に基づいて、本発明の実施形態において提供されるＵＥ１１は、図１１を参照すると下記を含む。
ハンドオーバ前にターゲットセルのＴＡを取得するよう構成されたＴＡ取得ユニット１１１、
ターゲットセルによって送信されたＵＬグラントを取得するよう構成されたＵＬグラント取得ユニット１１２、および、
このＵＬグラントに対応するリソース上のＴＡを有するターゲットセルにハンドオーバ完了メッセージを送信するよう構成された送信ユニット１１３。
ＴＡ取得ユニット１１１は、下記のモジュールのいずれか１つを含む。
ソースセルによって送信されたハンドオーバコマンドからターゲットセルのＴＡを取得するよう構成された第１のＴＡ取得モジュール、
ソースセルによって送信されたＭＡＣ制御ＰＤＵからターゲットセルのＴＡを取得するよう構成された第２のＴＡ取得モジュール、または、
ターゲットセルのＴＡとしてハンドオーバ前のソースセルのＴＡを取得するよう構成された第３のＴＡ取得モジュール。
【００７３】
ハンドオーバ前に、ターゲットセルがハンドオーバ要求ＡＣＫメッセージをソースセルに送信するとき、ターゲットセルがターゲットセルのＴＡをソースセルに送信し、ソースセルが、ターゲットセルのＴＡ値を搬送するハンドオーバコマンドをＵＥに送信するか、または、ＭＡＣ  ＰＤＵを介してＴＡをＵＥに送信する。ＵＥに関して、ターゲットセルのＴＡが第１のＴＡ取得モジュールから取得された場合に、ＴＡが更新され、そうでない場合には、ＴＡは更新されず、ハンドオーバ前のソースセルのＴＡ値が使用され続け、そして、ターゲットセルのＴＡが第２のＴＡ取得モジュールから取得された場合に、ＴＡが更新され、そうでない場合には、ＴＡは更新されず、ソースセルのＴＡ値が使用され続けるか、あるいは、ＵＥが、ターゲットセルのＴＡとしてハンドオーバ前のソースセルのＴＡを直接使用し、この場合、ソースセルのＴＡが第３のＴＡ取得モジュールによって取得される。
【００７４】
ＵＬグラント取得ユニット１１２は、下記のモジュールのいずれか１つを含む。
ソースセルがＨＡＲＱ  ＡＣＫメッセージにしたがってＵＬグラント伝送指示メッセージをターゲットセルに送信し、このＵＬグラント伝送指示メッセージにしたがってターゲットセルによって送信されたＵＬグラントを受信するように、ハンドオーバコマンドを受信した後に、ソースセルにＨＡＲＱ  ＡＣＫメッセージを送信するよう構成された第１のＵＬグラント取得モジュール、
ソースセルからハンドオーバコマンドを受信した後にターゲットセルにＳＲを送信し、該ＳＲはハンドオーバプロセスのために特に構成されたＳＲリソースを使用し、ＳＲにしたがってターゲットセルによって送信されたＵＬグラントを受信するよう構成された第２のＵＬグラント取得モジュール、および、
ソースセルからハンドオーバコマンドを受信した後にターゲットセルにＳＲを送信し、該ＳＲはハンドオーバが完了した後にハンドオーバコマンド内に構成されたＳＲリソースを使用し、ＳＲにしたがってターゲットセルによって送信されたＵＬグラントを受信するよう構成された第３のＵＬグラント取得モジュール。
【００７５】
ＵＬグラントが、ターゲットセルのＰＤＣＣＨを介してＵＥに送信され得る。ＵＥに関して、ＲＲＣ接続再構成メッセージに含まれたハンドオーバコマンドを受信したとき、ＵＥが内部ＲＲＣ接続再構成を完了した後に、ＵＥがソースセルのＰＤＣＣＨとターゲットセルのＰＤＣＣＨとを同時に監視し始める。
【００７６】
１つの方法は、「ＵＥがハンドオーバコマンドを受信した」ことを示すために使用されるＵＬグラント伝送指示メッセージをソースセルから受信したとき、ターゲットセルがＰＤＣＣＨを介してＵＥにアップリンクリソースを送信するということである。その間に、ＵＥの内部処理時間を考慮しながら、ターゲットセルが、ソースセルからＵＬグラント伝送指示メッセージを受信したときからある時間後に、ＵＬグラントをＵＥに送信することがあり、ＵＥは、第１のＵＬグラント取得モジュールを介してターゲットセルによって送信されたＵＬグラントを受信する。
【００７７】
別の方法は、（ＲＲＣ接続再構成メッセージ内に含まれた）ハンドオーバコマンドを受信した後に、ＵＥが、ＳＲをＰＵＣＣＨ上でターゲットセルに送信し、このＳＲは、ハンドオーバプロセスのために特に構成されたＳＲリソースを使用するか、ハンドオーバが完了した後に、ハンドオーバコマンド内に構成されたＳＲリソースを使用する。ＵＥのＳＲを受信した後に、ターゲットセルがＵＬグラントをＵＥに送信し、このときに、ＵＥは、第２のＵＬグラント取得モジュールまたは第３のＵＬグラント取得モジュールを介してターゲットセルによって送信されたＵＬグラントを受信する。
【００７８】
この方法では、ＵＥによってターゲットセルに送信されたＳＲは、ＵＥがターゲットセルにハンドオーバされた後に、ハンドオーバコマンド内にＵＥのために構成されたＳＲリソースを使用することによってｅＮＢに送信されてもよく、また、ＳＲを受信した後に、ｅＮＢがＵＬグラントをＵＥに送信し、そして、ハンドオーバプロセスのために特に構成されたＳＲリソースが使用されてもよく、ＵＥが、ターゲットセルにハンドオーバされた後に、アップリンクＳＲを送信するために、ＵＥはＳＲリソースを迅速に呼び出すことができる。
【００７９】
具体的には、下記の３つの２次的情報要素は、ＲＲＣ接続再構成メッセージのＳＲ構成情報要素に追加される。
ａ．ハンドオーバのために使用されるＳＲリソースの位置インデックス（ｓｒ−ＰＵＣＣＨ−ＲｅｓｏｕｒｃｅＩｎｄｅｘｆｏｒＨＯ）。
ｂ．ハンドオーバのために使用されるＳＲの周期およびオフセットインデックス（ｓｒ−ＣｏｎｆｉｇＩｎｄｅｘｆｏｒＨＯ）、ここで、周期の値は１ｍｓ、２ｍｓ、３ｍｓ、４ｍｓおよび５ｍｓであってよく、デフォルト周期は１ｍｓであり、オフセットに関してはＵＥがターゲットセルにハンドオーバされてＳＲを送信する用意ができる最も早い時刻が考えられる。
ｃ．ハンドオーバのために使用されるＳＲリソースの有効継続時間（ｄｓｒ−ＴｒａｎｓＭａｘｆｏｒＨＯ）。
【００８０】
具体的な情報要素構造は、下記の通りである。
【数２】
0005373968.tif 000003
【００８１】
本発明のこの実施形態において提供されるＵＥによれば、ターゲットセルのＴＡがＴＡ取得ユニット１１１を介してハンドオーバ前に取得され、これによって、ハンドオーバ後の同期化精度を向上させ、ターゲットセルによって送信されたＵＬグラントがＵＬグラント取得ユニット１１２を介して取得され、また、ハンドオーバ完了メッセージがＵＬグラントに対応するリソース上のＴＡを有するターゲットセルに送信ユニット１１３によって送信されるので、ＵＥは時間内にアップリンク信号伝達およびデータを送信するようにスケジュールされることができ、これによって、制御プレーンのハンドオーバ遅延およびユーザプレーン・データの割込み遅延を短縮することができる。
【００８２】
＜第５実施形態＞
ターゲットセルの前述の方法の実施形態に基づいて、本発明の実施形態において提供されるネットワーク側デバイス１２は、図１２を参照すると下記を含む。
ハンドオーバ前にソースセルを介してＵＥにターゲットセルのＴＡを送信するよう構成されたＴＡ送信ユニット１２１、
ターゲットセルのＵＬグラントをＵＥに送信するよう構成されたＵＬグラント送信ユニット１２２、および
ハンドオーバ完了メッセージと、ＵＬグラントに対応するリソース上のＴＡを有するＵＥによって送信されたユーザプレーンにおいて送信されるべきバッファデータとを受信するよう構成された受信ユニット１２３。
【００８３】
ＵＬグラント送信ユニット１２２は、下記のモジュールのいずれか１つを含む。
ソースセルがＵＥからＨＡＲＱ  ＡＣＫメッセージを受信した後にソースセルによってターゲットセルに送信されるＵＬグラント伝送指示メッセージであって、「ＵＥがハンドオーバコマンドを受信した」ことを示すために使用されるＵＬグラント伝送指示メッセージにしたがって、ＵＬグラントをＵＥに送信するよう構成された第１のＵＬグラント送信モジュール、
ＵＥによって送信されたＳＲであって、特にハンドオーバプロセスのために構成されたＳＲリソースを使用するか、または、ハンドオーバが完了した後にハンドオーバコマンド内に構成されたＳＲリソースを使用するＳＲにしたがって、ＵＬグラントをＵＥに送信するよう構成された第２のＵＬグラント送信モジュール。
【００８４】
ユーザプレーン・データのＵＬグラントを迅速に取得するために、また、ユーザプレーン・データの送信を迅速に開始するために、そして更に、ハンドオーバ時にユーザプレーン・データを送信する際の割込み時間を短縮するために、好適な方法は以下の通りである。
【００８５】
ハンドオーバ前に、ソースセルは、ターゲットセルがＵＥ上で実行される必要のあるアップリンクスケジューリングに関する関連情報を事前に知っているように、ハンドオーバ要求メッセージを介してＵＥ関連アップリンクスケジューリング情報を搬送する、例えば、ＵＥによって最近報告されたＢＳＲを搬送する。ハンドオーバにおいて、ＵＥがハンドオーバコマンド内の再構成を完了してターゲットセルにハンドオーバされた後に、あるいは、ターゲットセルが十分なＵＬグラントをＵＥに１回送信して割り当てた後に、この割り当てられたＵＬグラントに対応するリソースは、ＵＥがハンドオーバ完了メッセージと共に他のサービスデータを送信するように、ハンドオーバ完了メッセージと送信されるべきアップリンク・バッファデータとを同時に担うために使用される。代替として、ターゲットセルはＵＬグラントをＵＥに２回連続で送信するが、ここで、第１のＵＬグラントに対応するリソースはハンドオーバ完了メッセージを担うために使用され、第２のＵＬグラントに対応するリソースは送信されるべきアップリンク・バッファデータを担うために使用される。ターゲットセルが第１のＵＬグラントを送信するとき、ｅＮＢが信号伝達対話の完了を待つ必要はなく、ＵＥがアップリンクスケジューリングに関する関連情報を報告するのを待つ必要もなく、そして、ｅＮＢが、ソースセルによって取得されたアップリンクスケジューリング情報にしたがって送信されるべき他のアップリンク・バッファデータの第２のＵＬグラントを送信してもよく、ユーザプレーンにおけるアップリンク伝送を開始する。
【００８６】
このようにして、ユーザプレーン・データの送信がアップリンクおよびダウンリンクＲＲＣ信号伝達対話の完了を待たずに復旧されることができるので、ユーザプレーン・データ伝送における割込み時間が更に短縮される。
【００８７】
本発明のこの実施形態において提供されるネットワーク側デバイスによれば、ＴＡ送信ユニット１２１がハンドオーバ前にソースセルを介してターゲットセルのＴＡをＵＥに送信し、これによって、ハンドオーバ後のＵＥの同期化精度を向上させ、ＵＬグラント送信ユニット１２２がターゲットセルのＵＬグラントをＵＥに送信し、受信ユニット１２３がＵＬグラントに対応するリソース上のＴＡを有するＵＥによって送信されたハンドオーバ完了メッセージを受信するので、ＵＥが時間内にアップリンク信号伝達およびデータを送信するようにスケジュールされることができ、これによって、制御プレーンのハンドオーバ遅延とユーザプレーン・データの割込み遅延とを短縮できる。
【００８８】
＜第６実施形態＞
ソースセルの前述の方法の実施形態に基づいて、本発明の実施形態において提供される別のネットワーク側デバイス１３は、図１３を参照すると下記を含む。
ターゲットセルのＴＡを取得するよう構成されたＴＡ決定ユニット１３１、
ハンドオーバ前にターゲットセルのＴＡをＵＥに送信するよう構成されたＴＡ転送ユニット１３２、および
ＵＥのハンドオーバが完了したことを確認するためにターゲットセルによって送信されたハンドオーバ完了指示を受信するよう構成されたハンドオーバ確認ユニット１３３。
【００８９】
ＴＡ決定ユニット１３１は、下記のモジュールのいずれか１つを含む。
ターゲットセルによって送信されたハンドオーバ要求ＡＣＫメッセージからターゲットセルのＴＡを取得するよう構成された第１のＴＡ決定モジュール、
定期的にまたはイベントにトリガされてターゲットセルによって送信されたターゲットセルのＴＡを受信するよう構成された第２のＴＡ決定モジュール、および
ターゲットセルによって送信されたパケットの復号にしたがってターゲットセルのＴＡを計算するよう構成された第３のＴＡ決定モジュール。
【００９０】
ＴＡ転送ユニット１３２は、下記のモジュールのいずれか１つを含む。
ターゲットセルのＴＡを搬送するハンドオーバコマンドをＵＥに送信するよう構成された第１のＴＡ転送ユニット、
ターゲットセルのＴＡを搬送するＭＡＣ制御ＰＤＵをＵＥに送信するよう構成された第２のＴＡ転送ユニット、および、
ＵＥがターゲットセルのＴＡとしてソースセルのＴＡを使用するように、ソースセルのＴＡをＵＥに送信するよう構成された第３のＴＡ転送ユニット。
【００９１】
どのようにしてソースセルがターゲットセルのＴＡを取得するか、およびどのようにしてターゲットセルのＴＡがハンドオーバ前にＵＥに送信されるかについては、ここではこれ以上説明されないが、前述の方法の実施形態が参照され得る。
【００９２】
本発明のこの実施形態において提供されるネットワーク側デバイスによれば、ソースセルがＴＡ決定ユニット１３１を介してターゲットセルのＴＡを取得し、また、ＴＡ転送ユニット１３２がハンドオーバ前にターゲットセルのＴＡをＵＥに送信し、これによってハンドオーバ後のＵＥの同期化精度を向上させるので、ＵＥがＵＬグラントに対応するリソース上のＴＡを有するハンドオーバ完了メッセージを送信でき、時間内にアップリンク信号伝達およびデータを送信するようにスケジュールされることができ、これによって、制御プレーンのハンドオーバ遅延およびユーザプレーン・データの割込み遅延は短縮される。
【００９３】
当業者は、本明細書で開示された実施形態において説明された各例示的ユニットおよび実現ステップが、電子ハードウエア、コンピュータソフトウエア、またはこれら２つの組合せにおいて実現可能であることに更に気付き得る。ハードウエアおよびソフトウエアの相互交換可能性を明確に説明するために、例示的コンポーネントおよびステップは、機能にしたがって前述の説明において概ね説明されている。これらの機能がハードウエアまたはソフトウエアによって実現されるかどうかは、技術的ソリューションの具体的用途および設計の制約条件に依存する。熟練した人々は各具体的用途のために異なる方法を使用することによって、説明された機能を実現し得るが、この実現は本発明の範囲からの逸脱と解釈されるべきでない。
【００９４】
本明細書において開示された実施形態において説明された方法ステップはハードウエア、プロセッサによって実行されるソフトウエアモジュール、またはこれら２つの組合せによって実現され得る。ソフトウエアモジュールは、ランダムアクセス・メモリ（ＲＡＭ）、メモリ、読取り専用メモリ（ＲＯＭ）、電気的にプログラム可能なＲＯＭ、電気的に消去可能なプログラマブルＲＯＭ、レジスタ、ハードディスク、リムーバブルディスク、ＣＤ−ＲＯＭ、または他の任意の形の記憶媒体に配置され得る。
【００９５】
前述の具体的実施形態は本発明を限定するようには意図されておらず、また当業者にとって、本発明の原理から逸脱せずに行われるいかなる変更、均等物交換、および改善もすべて本発明の保護範囲内に含まれる。
【図１】
0005373968.tif 000004
【図２】
0005373968.tif 000005
【図３】
0005373968.tif 000006
【図４】
0005373968.tif 000007
【図５】
0005373968.tif 000008
【図６】
0005373968.tif 000009
【図７】
0005373968.tif 000010
【図８】
0005373968.tif 000011
【図９】
0005373968.tif 000012
【図１０】
0005373968.tif 000013
【図１１】
0005373968.tif 000014
【図１２】
0005373968.tif 000015
【図１３】
0005373968.tif 000016